(57)【要約】【課題】表示装置の視認性を向上させると共に、より小型化・低コスト化が達成する。【解決手段】表示光を表裏両側に向けて発することが可能な画像形成層（１１１）を含み、表側に向けて発せられた表示光部分により第１面（１１）に表示可能であると共に裏側に向けて発せられた表示光部分により第１面の裏面に位置する第２面（１２）に表示可能である表示手段（１０）と、第１面及び第２面の少なくとも一方に沿って配置され、且つ第１面側から見て第２面の背後からの背景光及び第２面側から見て第１面の背後からの背景光のうち少なくとも一方透過を制御可能である光透過制御手段（２０、２１）とを備える。【選択図】      図１
2005070074.tif 000002
【特許請求の範囲】
【請求項１】
表示光を表裏両側に向けて発することが可能な画像形成層を含み、前記表側に向けて発せられた表示光部分により第１面に表示可能であると共に前記裏側に向けて発せられた表示光部分により前記第１面の裏面に位置する第２面に表示可能である表示手段と、
前記第１面及び前記第２面の少なくとも一方に沿って配置され、且つ前記第１面側から見て前記第２面の背後からの背景光及び前記第２面側から見て前記第１面の背後からの背景光の少なくとも一方の透過を制御する光透過制御手段とを備えることを特徴とする表示装置。
【請求項２】
前記光透過制御手段は、前記表側に向けて発せられた表示光部分及び前記裏側に向けて発せられた表示光部分のうち少なくとも一方を透過制御することを特徴とする請求項１に記載の表示装置。
【請求項３】
前記光透過制御手段は、前記第１面側及び前記第２面側の夫々に配置される２つの偏光素子を含むことを特徴とする請求項１又は２に記載の表示装置。
【請求項４】
前記２つの偏光素子は、夫々の偏光角が相互に異なる状態で配置される一対の偏光板からなることを特徴とする請求項３に記載の表示装置。
【請求項５】
前記２つの偏光素子のうち少なくとも一つは、電圧の印加により偏光角を変化させることを特徴とする請求項３に記載の表示装置。
【請求項６】
前記光透過制御手段は、電圧の印加または電流の注入により、光透過度が変化することを特徴とする請求項１又は２に記載の表示装置。
【請求項７】
前記光透過制御手段で表示情報を表示させることを特徴とする請求項１又は２に記載の表示装置。
【請求項８】
前記光透過制御手段は、機械的シャッタであることを特徴とする請求項１又は２に記載の表示装置。
【請求項９】
前記第１面側及び前記第２面側の夫々に前記光透過制御手段が配置され、
前記第２面の背後からの背景光を遮断すると共に前記表側に向けて発せられた表示光部分を透過する状態と、前記第１面の背後からの背景光を遮断すると共に前記裏側に向けて発せられた表示光部分を透過する状態との間で、前記２つの光透過制御手段を切り替え制御する切替制御手段を更に備えることを特徴とする請求項１又は２に記載の表示装置。
【請求項１０】
前記表示手段は、自発光型透明表示ユニットであり、前記第１面に第１画像を表示する第１状態においては、前記第２面に当該第１画像の裏返った画像たる第２画像を表示し、前記第２面に前記第１画像を表示する第２状態においては、前記第１面に前記第２画像を表示することを特徴とする請求項９に記載の表示装置。
【請求項１１】
前記第１状態と前記第２状態とを相互に切り替えるように前記表示手段を制御する表示切替手段を更に備えることを特徴とする請求項１０に記載の表示装置。
【請求項１２】
前記表示切替手段は、外部操作又は当該表示装置に係る所定動作に応じて切り替えるための画像切替スイッチを含むことを特徴とする請求項１１に記載の表示装置。
【請求項１３】
前記表示切替手段は、前記第１又は第２面における画像表示のために前記表示手段に入力される画像データを反転し、前記第１状態と前記第２状態とを相互に切り替える画像データ反転手段を含むことを特徴とする請求項１１又は１２に記載の表示装置。
【請求項１４】
前記表示手段は、
前記第１及び第２面に沿って平面配列された複数の画像表示用の信号線と、
該複数の画像表示用の信号線を駆動する信号線駆動手段とを有し、
前記表示切替手段は、
前記信号線駆動手段における前記複数の画像表示用の信号線を駆動する順序を反転することで切り替えることを特徴とする請求項１１から１３のいずれか一項に記載の表示装置。
【請求項１５】
前記表示手段を収容する第１筐体と、
該第１筐体に対して開閉可能に連結された第２筐体とを更に備えてなり、
前記表示切替手段は、前記第２筐体の開閉状態に応じて、前記表示手段を制御することを特徴とする請求項１１から１４のいずれか一項に記載の表示装置。
【請求項１６】
前記表示手段は、エレクトロルミネッセンス表示デバイスを含むことを特徴とする請求項１から１５のいずれか一項に記載の表示装置。
【請求項１７】
前記背景光の強度を検出する光センサと、
前記光センサの出力に基づき、前記光透過制御手段の光透過度を変化させる光透過度制御手段とを更に具備することを特徴とする請求項１又は２に記載の表示装置。
【請求項１８】
請求項１から１７のいずれか一項に記載の表示装置と、
前記表示装置において表示される画像の内容に影響を与える操作ボタンとを具備することを特徴とする電子機器。
【発明の詳細な説明】
【０００１】
【発明の属する技術分野】
本発明は、例えばエレクトロルミネッセンス（以下、エレクトロルミネッセンスを“ＥＬ”と略すことがある。）装置等の自発光デバイスを含んでなる表示装置の技術分野に属する。
【０００２】
【従来の技術】
従来、各種の表示装置が提供されている。例えば、投光機の前にフィルムを送り込むことによってスクリーン上に画像を表示する映写機、ブラウン管を備えたディスプレイ等の伝統的な表示装置のほか、近年では、液晶表示装置、プラズマディスプレイ、エレクトロルミネッセンス装置等々も提案されている。また、これらの表示装置は、表示装置それ自体の機能が主に重視される機器（例えば、テレビ）に使用されるほか、その他の各種の電子機器等にも使用される。例えば個人端末用携帯機器（ＰＤＡ；Ｐｅｒｓｏｎａｌ  Ｄｉｇｉｔａｌ  Ａｓｓｉｓｔａｎｔ）、具体的には電子手帳、携帯電話、時計や、パーソナルコンピュータ、ＣＣＤ（Ｃｈａｒｇｅ−Ｃｏｕｐｌｅｄ  Ｄｅｖｉｃｅ）カメラ等を備えた撮像装置（持ち運び可能なビデオカメラ）などに加えて、コピー装置及びファクシミリ装置等の画像形成装置等々に組み込まれて使用されている。これら各種の電子機器において、表示装置は、主にユーザインターフェイスの用に供されることが一般的である。
【０００３】
上記のうち、例えば携帯電話における表示装置は、広く知られているように、充電残量値、電波状態、メール受信状態、年月日及び時刻等々を、ユーザに知らせるために利用されている。また、各種の携帯電話のうちには、主に前記表示装置を備える筐体と、主にプッシュボタン等が作り込まれた筐体とが、相互に回動自在に連結され、これら二つの筐体が、いわゆる折り畳み可能に構成されているものも提供されている。かかる携帯電話においては、主にプッシュボタン操作時（即ち、当該携帯電話が折り畳まれていない状態にあるとき）に、その操作状況等をユーザが確認するための表示装置を備えているのに加えて、当該携帯電話が折り畳まれた状態にあるときに、着信、あるいはメール受信等をユーザに知らせるための表示装置が別途備えられる形態が提供されている。また、液晶表示装置を用いて、単一の表示装置により、携帯電話の表裏側の双方において着信、メール受信や操作状況等を確認可能な画面を有する形態も提供されている（例えば、特許文献１、２及び３参照）。
【０００４】
いずれせよ、表示装置は、上述のような各種の電子機器に組み込まれるなどして、社会全体に遍く普及し、当該電子機器等のユーザに各種の利便性、快適性等々を与えているほか、効率性向上等々の社会的実利にも大きく貢献している。
【０００５】
【特許文献１】
特開２００１−１８６２２６号公報
【特許文献２】
特開２００１−１８６２２７号公報
【特許文献３】
特開２００２−３２００１２号公報
【０００６】
【発明が解決しようとする課題】
しかしながら、従来の表示装置においては、次のような問題点がある。上述した例えば特許文献１や２等に見られる携帯電話は、単一の表示装置を用いているがゆえに、表示装置を介してその後方の景色等も同時に視認することとなる。この場合、係る後方の景色に重ねて、本来表示装置に表示されている表示内容を視認することとなる。このため、表示内容（例えば、精細度等）によっては、該表示内容を明確に且つ適切に認識することが困難或いは不可能という技術的な問題点を有している。即ち、表示装置本来の機能たる画像表示や情報表示を十分に行うことができないという技術的な問題点を有している。
【０００７】
又、特許文献１や２に見られる携帯電話は、液晶表示装置を用いるがゆえに視認性を高めるためにはバックライト等の各種部品が必要となり、必然的に表示装置の大きさにも限界が生ずる。従って、例えば携帯電話やＰＤＡ等のように本来携帯性が重要視される機器の小型化に寄与することができないという技術的な問題点を含んでいる。
【０００８】
本発明は、例えば上記問題点に鑑みてなされたものであり、例えば、表示装置の視認性を向上させると共に、より小型化・低コスト化が達成された表示装置及びこれを具備してなる電子機器を提供することを課題とする。
【０００９】
【課題を解決するための手段】
上記課題を解決するために、請求項１に記載の表示装置は、表示光を表裏両側に向けて発することが可能な画像形成層を含み、前記表側に向けて発せられた表示光部分により第１面に表示可能であると共に前記裏側に向けて発せられた表示光部分により前記第１面の裏面に位置する第２面に表示可能である表示手段と、前記第１面及び前記第２面の少なくとも一方に沿って配置され、且つ前記第１面側から見て前記第２面の背後からの背景光及び前記第２面側から見て前記第１面の背後からの背景光のうち少なくとも一方の透過を制御する光透過制御手段とを備える。
【００１０】
さらに、上記課題を解決するために、請求項１８に記載の電子機器は、請求項１から１７のいずれか一項に記載の表示装置と、前記表示装置において表示される画像の内容に影響を与える操作ボタンとを具備する。
【００１１】
本発明のこのような作用及び他の利得は次に説明する実施の形態から明らかにされる。
【００１２】
【発明の実施の形態】
以下では、本発明の実施の形態について説明する。
【００１３】
本発明の表示装置の実施形態は、表示光を表裏両側に向けて発することが可能な画像形成層を含み、前記表側に向けて発せられた表示光部分により第１面に表示可能であると共に前記裏側に向けて発せられた表示光部分により前記第１面の裏面に位置する第２面に表示可能である表示手段と、前記第１面及び前記第２面の少なくとも一方に沿って配置され、且つ前記第１面側から見て前記第２面の背後からの背景光及び前記第２面側から見て前記第１面の背後からの背景光の少なくとも一方の透過を制御する光透過制御手段とを備える。
【００１４】
本発明の表示装置に係る実施形態によれば、その動作時には、任意の一時刻において、画像形成層から表示光が、表裏両側に向けて発せられるか、又は表側若しくは裏側に向けて発せられる。尚、画像形成層は、自発光作用により表示光を表裏両側又は表側若しくは裏側に向けて発してもよい。或いは、外光又は光源を利用して表示光を表裏両側又は表側若しくは裏側に向けて発してもよい。このような表示光が発せられると、表示手段では、第１面及び第２面の夫々に、該表示光により形成される映像や画像等（即ち、表示手段或いは当該表示装置が表示する表示内容）が表示されることとなる。
【００１５】
本実施形態では特に、第１面及び第２面の少なくとも一方に沿って、光透過制御手段が配置されている。そして、該光透過制御手段は、表側（即ち、第１面側）から見て第２面の背後からの背景光及び裏側（即ち、第２面側）から見て第１面の背後からの背景光のうち少なくとも一方を透過制御可能に構成されている。
ここに、本発明における「背景光」とは、画像形成層から発せられる表示光を除く外部からの光を示す広い趣旨であり、表示手段を介して観察者に視認される光全般（但し、表示光を除く）を含むものである。そして例えば後述の如く、表示手段を挟み込む形で配置される偏光板や液晶フィルター、或いは各種シャッタ等を光透過制御手段として用いることができる。尚、本発明における「光の透過を制御する」とは、所定の時点において光を透過し又は光を遮断することができれば足り、又例えば後述する２つの偏光板の如く複数の構成要素を組み合わせることで初めて光を透過し又は遮断することが可能になる状態をも含む広い趣旨である。また、後述の如く、切替制御手段によりこれらの状態を切り替えることも、光の透過を制御するものである。更に、光透過制御手段による「透過制御」時における「背景光の遮断」とは、表示手段の背後から入射した背景光の１００％に近い部分が遮断される場合の他、観察者によって背景光が見えない程度或いは少なくとも背景光が低減されたことが視認可能な程度に光強度が落とされる場合も含む意味である。いずれにせよ光透過制御手段により多少なりとも背景光を低減できれば、次に述べるように、その低減量に応じて表示光による表示画像が相応に見やすくなる。
【００１６】
更に、光透過制御手段は後述の如く、画像形成層より表側に向けて発せられる表示光及び裏側に向けて発せられる表示光を別途透過制御可能に構成されていてもよい。また表示光部分を電気光学的、機械的又は電気化学的に透過率を変化させることで選択的に別途透過制御可能であってもよい。この場合、不要である表示光部分については背景光と同様に遮断或いは透過度を減少させるように透過制御してもよい。若しくは、光学系によって常時、背景光を透過制御しつつ表示光部分を別途透過制御可能であってもよい。更に、表示光の１００％に近い部分が透過される場合の他、観察者によって表示光を視認できる程度に表示光を透過する場合も、「透過制御」に含まれる趣旨である。
【００１７】
例えば、光透過制御手段により、第１面側に発せられる表示光を別途透過制御（例えば、透過）し且つ背景光を透過制御（例えば、遮断）すれば、第１面側にいる観察者は、背景を視認することなく表示手段が表示する表示内容を適切に視認することができる。仮に、背景光を透過制御（例えば、遮断）することがなければ、観察者は背景と表示内容とを重ねて視認することとなる。即ち、表示内容が見やすくシンプルな内容であれば背景と重なっても影響は少ないが、表示内容が複雑で或いは精細な内容であれば背景と重ねて視認することで、観察者がその表示内容を適切に視認することができないおそれがある。しかるに、本実施形態によれば、背景光を適切に透過制御することができるため、係る不利益が生ずるおそれはない。
【００１８】
以上の結果、本実施形態に係る表示装置によれば、光透過制御手段により例えば背景からの光等を透過制御（たとえば遮断）することで、観察者をして背景を視認させることなく、表示手段に表示される表示内容を適切に視認させることが可能となる。従って、単一のディスプレイを用いながらも視認性に優れた表示装置を実現することが可能となる。加えて、例えば後述の偏光板やシャッタ等を用いることで本実施形態に係る表示装置を実現できるため、当該表示装置自体の構成が簡略化され、量産しやすく且つ低コストで生産することが可能となる。
【００１９】
本発明の表示装置に係る実施形態の一の態様では、前記光透過制御手段は、前記表側に向けて発せられた表示光部分及び前記裏側に向けて発せられた表示光部分のうち少なくとも一方を透過制御する。
【００２０】
この態様によれば、表示光を透過制御することで、上述の如く観察者をして表示手段に表示される表示内容を更に適切に視認させることが可能となる。
【００２１】
本発明の表示装置に係る実施形態の他の態様では、前記光透過制御手段は、前記第１面側及び前記第２面側の夫々に配置される２つの偏光素子を含む。
【００２２】
この態様によれば、２つの偏光素子を組み合わせることで、上述の如く背景光を透過制御し、表示光を別途透過制御するような表示装置を、比較的容易に実現することが可能となる。尚、偏光素子として、例えば後述の如く偏光板や液晶シャッタ等を用いることができる。
【００２３】
上述の如く偏光素子を含んでなる表示装置の態様では、前記２つの偏光素子は、夫々の偏光角が相互に異なる状態で配置される一対の偏光板からなる。
【００２４】
このように構成すれば、一対の偏光板のうち片方を透過した光は遮断されることなく該偏光板を透過し、一方、一対の偏光板の双方を透過する光は遮断されることとなる。従って、画像形成層より表側又は裏側に向けて発せられた表示光は、２つの偏光板のうち第１面側に又は第２面側に配置された１つの偏光板を透過して観察者の位置にまで伝搬することとなる。このため、観察者は表示光を適切に視認することが可能となる。
【００２５】
一方、表示手段の後方（即ち、観察者とは反対の側）より例えば表示手段を透過する方向に伝搬してくる背景光は、一対の偏光板の夫々を透過することとなる。ここで、一対の偏光板は、夫々の偏光角が相互に異なる状態で配置されている。ここに、本発明における「偏光角」とは、偏光板を透過する光の振動方向の角度を示す趣旨である。即ち、「偏光角が相互に異なる状態」とは、一の偏光板は一の方向に振動する光を透過可能であるが、他の偏光板は係る一の方向に振動する光を透過することができない状態を示している。言い換えれば、一対の偏光板の夫々が透過可能な光の振動方向は相互に異なるように配置されるので、それぞれの振動の光は一対の偏光板の双方を透過することができない。このため、一対の偏光板を透過しなければ観察者の位置にまで到達できない背景光は、該一対の偏光板により観察者の位置まで到達することはない。従って、観察者の背景視認レベルが低下する。
【００２６】
以上より、上述の如く観察者は、表示手段が表示する表示内容を適切に視認することが可能となる。
【００２７】
尚、偏光板を２つ備える表示装置として液晶ディスプレイが存在するが、特許文献３のように当該液晶ディスプレイは、発光部であるバックライトが一対の偏光板の間に配置されずその外側に配置される構成を採られている。従って、本実施形態に係る表示装置の如く、表裏両面より視認可能な表示装置を実現したとしても、液晶ディスプレイでは画像信号に応じて各画素に明暗をつけるために偏光板が用いられており、その原理からして該偏光板によって背景光を透過制御することができず、その点で本実施形態に係る表示装置は大きな利点を有することとなる。
【００２８】
上述の如く偏光素子を備える表示装置の態様では、前記２つの偏光素子のうち少なくとも一つは、電圧の印加により前記偏光角を変化させる。
【００２９】
この態様によれば、偏光素子に印加する電圧を制御することで、比較的容易に偏光角を変化させることが可能となる。係る偏光素子として、例えば液晶シャッタ等を用いることができる。また各画素ごとに偏向角を変えることで、文字、紋様、マークなどを表示させることができる。
【００３０】
本発明の表示装置に係る実施形態の他の態様では、前記光透過制御手段は、電圧の印加又は電流の注入により、光透過度が変化する。
【００３１】
この態様によれば、例えば電子粉流体の如く電圧の印加又は電流の注入によって光透過度が変化する材料を用いて比較的容易に背景光を透過制御し、又は別途表示光を透過制御することが可能となる。
【００３２】
本発明の表示装置に係る実施形態の他の態様では、前記光透過手段で表示情報を表示させる。
【００３３】
この態様によれば、例えば液晶の如く偏光角を変えることのできる光透過手段を用いて、該光透過手段に文字や図形、紋様、マーク等の表示情報を表示させることが可能となる。即ち、光透過手段を用いて、背景光や表示光を透過制御可能であると共に、表示情報を表示させるという一石二鳥の効果を享受することが可能となる。
【００３４】
本発明の表示装置に係る実施形態の他の態様では、前記光透過制御手段は、機械的シャッタである。
【００３５】
この態様によれば、比較的容易に表示光を透過制御し又は別途光を透過制御させる状態を切り替えることが可能となる。
【００３６】
尚、上述の如く電子粉流体や機械的シャッタを含んでなる光透過制御手段は、第１面側及び第２面側の夫々に配置されずに、一方の側（例えば、第１面側）に配置されたとしても、当該一方の側からの背景光（即ち、例えば第１面側から第２面側へ向かう背景光）を透過制御する（例えば、遮断する）ことは可能である。従ってこの場合であっても、他方の側（即ち、例えば第２面側）にいる観察者は背景光を視認することなく、表示内容を適切に視認することが可能である。
【００３７】
本発明の表示装置に係る実施形態の他の態様では、前記第１面側及び前記第２面側の夫々に前記光透過制御手段が配置され、前記第２面の背後からの背景光を遮断すると共に前記表側に向けて発せられた表示光部分を透過する状態と、前記第１面の背後からの背景光を遮断すると共に前記裏側に向けて発せられた表示光部分を透過する状態との間で、前記２つの光透過手段を切り替え制御する切替制御手段を更に備える。
【００３８】
この態様によれば、切替制御手段の動作により、第１面側から観察している観察者及び第２面側から観察している観察者の双方が、背景を視認することなく表示手段による表示内容を認識することが可能となる。係る切替制御手段による切替動作は、例えば観察者が第１面側にいるか又は第２面側にいるかに応じて実施されることが好ましい。
【００３９】
尚、切替制御手段による切替は、例えば液晶シャッタの如き偏光素子へ印加する電圧を変化させたり、電子粉流体の如き光透過制御手段に印加する電圧又は注入する電流を調整したり、或いは機械的シャッタの開閉動作等により実現することができる。そして、これらの切替は、例えば観察者の指示等に基づいて行ってもよいし、或いは例えばマイコン等の制御により例えば表示内容等に応じて自動的に行ってもよい。
【００４０】
本発明の表示装置に係る実施形態の他の態様では、前記表示手段は、自発光型透明表示ユニットであり前記第１面に第１画像を表示する第１状態においては、前記第２面に当該第１画像の裏返った画像たる第２画像を表示し、前記第２面に前記第１画像を表示する第２状態においては、前記第１面に前記第２画像を表示するように構成してもよい。
【００４１】
この態様によれば、第１画像又は第１画像が裏返った第２画像を好適に表示することができる。
【００４２】
上述の如く第１状態及び第２状態を有する表示装置の態様では、前記第１状態と前記第２状態とを相互に切り替える表示切替手段を更に備えるように構成してもよい。
【００４３】
このような構成によれば、前述したような、相互に異なっている、或いは左右又は上下が反転している第１画像及び第２画像間を、表示切替手段によって切り替えることができる。具体的には、第１面側に主たる観察者がいる場合には、第１面側に適切な画像（即ち、表示内容を適切に視認できる画像）を表示し、且つ第２面側に主たる観察者がいる場合には、第２面側に適切な画像を表示するように切り替えることが好ましい。これにより、第１面側から観察する観察者にとっても、第２面側から観察する観察者にとっても表示手段に表示される表示内容を適切に視認することが可能となる。
【００４４】
尚、上述の如く切替制御手段を備えていれば、表示切替手段の動作により適切な画像が表示される側が第１面となるか又は第２面となるかに応じて、係る適切な画像が表示される側に位置する観察者にとって、背景光或いは表示光が適切に透過制御されるように光透過制御手段を制御してもよい。
【００４５】
上述の如く表示切替手段を備える表示装置の態様では、前記表示切替手段は、外部操作又は当該表示装置に係る所定動作に応じて切り替えるための画像切替スイッチを含むように構成してもよい。
【００４６】
この態様によれば、前述したような、第１状態及び第２状態間、或いは相互に異なっている、或いは更に左右又は上下が反転している第１画像及び第２画像間を、画像切替スイッチによって切り替えることができる。ここで「画像切替スイッチ」とは、典型的には、当該表示装置のユーザ（例えば観察者）によって直接的に操作され得る各種のボタン、スイッチ、或いはリモコン等の操作機器等々が想定されている。
【００４７】
上述の如く表示切替手段を備える表示装置の態様では、前記表示切替手段は、前記第１又は第２面における画像表示のために前記表示手段に入力される画像データを反転し、前記第１状態と前記第２状態とを相互に切り替える画像データ反転手段を含むように構成してもよい。
【００４８】
このような構成によれば、画像データ反転手段を備えていることにより、例えば前述したような、第１状態及び第２状態間、或いは左右又は上下が反転している第１画像及び第２画像間の切り替えをより容易に行うことができる。即ち、切り替えのためには、表示装置に入力する画像データを反転すればよく、入力後における駆動方式に対しては何ら変更を加える必要は無いという利点を有することとなる。
【００４９】
上述の如く表示切替手段を備える表示装置の態様では、前記表示手段は、前記第１及び第２面に沿って平面配列された複数の画像表示用の信号線と、該複数の画像表示用の信号線を駆動する信号線駆動手段とを有し、前記表示切替手段は、前記信号線駆動手段における前記複数の画像表示用の信号線を駆動する順序を反転することで切り替えるように構成してもよい。
【００５０】
このような構成によれば、例えば、マトリクス状に配列された発光層（即ち、画像形成層）でもって画像表示を行う場合に、前述したような、第１状態及び第２状態間、左右又は上下が反転している第１画像及び第２画像間の切り替えをより容易に行うことができる。例えば、相交差するように配線された複数の走査線及び複数の信号線を用いてアクティブマトリクス駆動或いはパッシブマトリクス駆動する場合には、走査線駆動回路が走査線を駆動する順番を反転させれば、各走査線の延在方向に直交する方向について反転した、即ち上下反転した反転画像が得られる。また、この場合には、画像信号線駆動回路が画像信号線を駆動する順番を反転させれば、各信号線の延在方向に直交する方向について反転した、即ち左右反転した反転画像が得られる。更に両駆動回路が駆動する順番を反転させれば、上下且つ左右に反転した反転画像が得られる。
【００５１】
即ち、切り替えのためには、表示装置に入力する画像データを反転する必要なしに、入力後における駆動方式に対して変更を加えれば足りる。尚、入力する画像データと駆動方式との両者に変更を加えることで、第１画像と第２画像との切替を行うことも可能である。
【００５２】
上述の如く表示切替手段を備える表示装置の態様では、前記表示手段を収容する第１筐体と、該第１筐体に対して開閉可能に連結された第２筐体とを更に備えてなり、前記表示切替手段は、前記第２筐体の開閉状態に応じて前記表示手段を制御するように構成してもよい。
【００５３】
このように構成すれば、例えば、第１筐体及び第２筐体が閉じた状態から開いた状態にされるとき、又はその逆のとき等の開閉状態に応じて、表示切替手段によって、自動的に、第１状態及び第２状態間、或いは第１画像及びこれに左右又は上下で反転する第２画像間の表示切替が行われる。この場合、当該表示装置の使用形態としては、第１筐体及び第２筐体が閉じた状態の一例である折り畳まれた状態にあるとき観察者が「第１面」に対向しており、該第１筐体及び該第２筐体が開いた状態にされると、従前とは逆に該観察者は「第２面」に対向する、という使用形態を一般的に想定することができる。従ってこの場合、折り畳まれた状態にあるときは第１面に適切な画像を表示し、開いた状態にあるときは第２面に適切な画像を表示するように切り替えることが好ましい。そして、前記のように、自動的に切り替えが行われるのであれば、ユーザに余計な操作を要求することなく、また、そうであっても該ユーザに適切な情報を伝達することができる。
【００５４】
なお、本発明の表示装置の、より具体的な形態としては、例えば、折り畳み可能な携帯電話、ビデオカメラやノート型パソコン等を挙げることができる。
【００５５】
そして、第２筐体の開閉状態を判定するために、表示切替手段は第１筐体と第２筐体との距離を測定する距離センサ等を含んでいてもよい。係る距離センサにより、第１筐体と第２筐体とが所定の距離だけ離れていれば、第２筐体は開いた状態にあると判定してもよい。そして、係る距離センサの判定により、自動的に表示を切り替えるように構成してもよい。
【００５６】
本発明の表示装置に係る実施形態の他の態様では、前記表示手段は、エレクトロルミネッセンス表示デバイスを含む。
【００５７】
この態様によれば、本発明に係る表示装置、とりわけ発光層（即ち、画像形成層）を含む表示装置を、より好適に構成することができる。
【００５８】
なお、エレクトロルミネッセンス表示デバイス（以降、“エレクトロルミネッセンス”を適宜“ＥＬ”と称する）は、ボトムエミッション（Ｂｏｔｔｏｍ  Ｅｍｉｓｓｉｏｎ）方式であってもよく、トップエミッション（Ｔｏｐ  Ｅｍｉｓｓｉｏｎ）方式であってもよいし、或いはトランスペアレント（Ｔｒａｎｓｐａｒｅｎｔ）方式であってもよい。ここに、「ボトムエミッション方式」とは、例えば有機ＥＬ発光層から発せられた光が、例えば透明基板層の一例たるＩＴＯ電極側（即ち、基板側）へ伝搬する態様の有機ＥＬ表示デバイスであり、「トップエミッション方式」とは、例えば有機ＥＬ発光層から出射した光が、例えば陰極側（即ち、基板側とは反対の側）へ伝搬する態様の有機ＥＬ表示デバイスであり、「トランスペアレント方式」、例えば有機ＥＬ発光層から出射した光が、例えば陰極側或いはＩＴＯ電極側の何れの側にも伝搬する態様の有機ＥＬ表示デバイスである。又、アクティブマトリックス（Ａｃｔｉｖｅ  Ｍａｔｒｉｘ）型駆動方式であってもよいし、パッシブマトリックス（Ｐａｓｓｉｖｅ  Ｍａｔｒｉｘ）型駆動方式であってもよい。
【００５９】
なお、本態様にいう「エレクトロルミネッセンス表示デバイス」とは、有機又は無機ＥＬ表示デバイスを含む。
【００６０】
本発明の表示装置に係る実施形態の他の態様では、前記背景光の強度を検出する光センサと、前記光センサの出力に基づき、前記光透過制御手段の光透過度を変化させる光透過度制御手段とを更に具備する。
【００６１】
この態様によれば、背景光の強度に応じて、観察者にとってより視認しやすい表示内容を表示手段に表示することが可能となる。例えば、背景光の強度が例えば表示光に対して強ければ、該背景光の光透過制御手段における光透過度を小さくし（即ち、該背景光を遮断し）、観察者に背景光を視認させないようにしてもよい。他方、背景光の強度が表示光に対して無視できる程度に弱ければ、該背景光の光透過制御手段における光透過度をそれ程大きくしなくとも、観察者に背景光を視認させないようにすることはできる。
【００６２】
本発明の電子機器に係る実施形態は、上述した表示装置に係る実施形態（但し、その各種態様を含む。）と、前記表示装置において表示される画像の内容に影響を与える操作ボタンとを具備する。
【００６３】
本発明の電子機器に係る実施形態よれば、上述した表示装置に係る実施形態を具備してなるから、上述した各種の利点を享受し得る電子機器、具体的には、テレビ受像機、個人端末用携帯機器、具体的には、電子手帳、携帯電話、時計や、パーソナルコンピュータ、電子ペーパー、ＣＣＤ（Ｃｈａｒｇｅ−Ｃｏｕｐｌｅｄ  Ｄｅｖｉｃｅ）カメラ等を備えた撮像装置用のファインダ（持ち運び可能なビデオカメラ）などに加えて、コピー装置及びファクシミリ装置等の画像形成装置、切符等の券売機、現金自動預け払い機等々を提供することができる。
【００６４】
なお、本発明における「操作ボタン」は、表示装置において表示される画像の内容に影響を与えるが、ここにいう「内容に影響を与える」というのは、具体的には例えば、操作ボタンが当該電子機器の「電源ボタン」であれば、該操作ボタンがその方式に従って操作されることで、当該電子機器の表示装置における画像の表示・非表示が行われる、などという場合が想定される。そして、本発明における「操作ボタン」は、必ずしも当該電子機器に具備されるものに限らず、例えばリモコン等の如く外部より操作可能なものをも含む広い趣旨である。
【００６５】
以上、本発明の表示装置に係る実施形態によれば、表示手段と、光透過制御手段とを備える。従って、光透過制御手段により例えば背景からの光等を透過制御することで、観察者をして背景を視認させることなく、表示手段に表示される表示内容を適切に視認させることが可能となる。従って、単一のディスプレイを用いながらも視認性に優れた表示装置を実現することが可能となる。
【００６６】
又、本発明の電子機器に係る実施形態によれば、本発明の表示装置に係る実施形態と操作ボタンとを具備する。背景からの光等を遮断することで、観察者をして背景を視認させることなく、表示手段に表示される表示内容を適切に視認させることが可能な各種電子機器を容易に生産し、又使用することが可能となる。
【００６７】
【実施例】
以下では、本発明の表示装置に係る実施例について図を参照しつつ説明する。
【００６８】
（第１実施例）
先ず、図１から図６を参照して、本発明の表示装置に係る第１実施例について説明する。尚、第１実施例に係る表示装置は、本発明における「表示手段」の一具体例たる表示ユニットを、本発明における光透過制御手段の一具体例である２枚の偏光板の間に配置した表示装置である。
【００６９】
（基本構成）
先ず、図１及び図２を参照して、本発明の表示装置に係る第１実施例の基本構成について説明する。ここに、図１（ａ）は、第１実施例に係る表示装置の基本構成を概念的に示すブロック図であり、図１（ｂ）は、第１実施例に係る表示装置の他の基本構成を概念的に示すブロック図であり、図２は、第１実施例に係る表示装置の表示デバイスの詳細な構成を概念的に示す断面図である。
【００７０】
図１（ａ）に示すように、本実施例に係る表示装置１は、本発明の「表示手段」の一具体例たる表示ユニット１０、本発明の「光透過制御手段」の一具体例たる偏光板２０及び２１、駆動部３０、画像生成部４０、並びに制御部５０を備えている。
【００７１】
表示ユニット１０は、自発光性を有する透明表示ディスプレイ等を含み、後述の如く「画像形成層を有する（図２参照）。そして、表示ユニット１０の一面は第１画像表示面１１とされ、その裏面は第２画像表示面１２とされている。この表示ユニット１０は、図１からわかるように一体のみ設けられており、この一体の表示ユニット１０のみで、その表裏面の画像表示が可能とされている。
【００７２】
表示ユニット１０は、図２に示すように、例えば有機ＥＬ（Ｅｌｅｃｔｒｏ  Ｌｕｍｉｎｅｓｃｅｎｃｅ）表示ディスプレイであってもよい。このとき、表示ユニット１０は、本発明の「画像形成層」の一具体例たる有機ＥＬ発光層１１１と、基板１１２と、ＩＴＯ（Ｉｎｄｉｕｍ  Ｔｉｎ  Ｏｘｉｄｅ：インジウム・スズ・オキサイド）電極（陽極）１１３と、透明電極（陰極）１１４と、絶縁膜１１５と、陰極隔壁１１６と、透明ガラス封止缶１１７とを備えて構成されている。
【００７３】
有機ＥＬ発光層１１１は、何れも図示しない、正孔注入層、正孔輸送層、発光層、電子輸送層及び電子注入層を含んで構成されている。正孔注入層は、例えばＣｕＰｃ（銅フタロシアニン）により、正孔輸送層は、例えばＮＰＢ（Ｎ，Ｎ−ｄｉ（ｎａｐｈｔｈａｌｅｎｅ−１−ｙｌ）−Ｎ，Ｎ−ｄｉｐｈｅｎｙｌ−ｂｅｎｚｉｄｅｎｅ）により、発光層は、例えばＡｌｑ３（トリス（８−ヒドロキシキノリン）アルミニウム）により、電子輸送層は、例えばＢＣＰ（バソキュプロイン又はバトクプロイン：ｂａｔｈｏｃｕｐｒｏｉｎｅ）により、電子注入層は、例えばＬｉＦ（フッ化リチウム）により、それぞれ形成されている。当該有機ＥＬ発光層１１１が一つの画素を形成することとなる。尚、有機ＥＬ発光層１１１の夫々は、相等しい大きさであってもよい。係る有機ＥＬ発光層１１１より光が発せられ、この光が第１画像表示面１１側に発せられる表示光部分と第２画像表示面１２側に発せられる表示光部分とを形成する。
【００７４】
基板１１２は、有機ＥＬ発光層１１１を保護し、支持するためのものであり、例えばガラス基板を含んでなる。又、ガラス基板に代えてポリマーフィルムを基板として用いてもよい。
【００７５】
ＩＴＯ電極１１３は、光透過性を有するアノード電極である。又、アノード電極として、透明なＩＴＯ電極に代えて、やはり透明なＩＺＯ（Ｉｎｄｉｕｍ  Ｚｉｎｃ  Ｏｘｉｄｅ：インジウム・亜鉛・オキサイド）電極を用いてもよい。図３に示す表示ユニット１０１の場合、ＩＴＯ電極１１３の屈折率は、境界面における表示光の反射を減少させるという観点から、基板１１２の屈折率と等しいことが好ましい。透明電極１１４は、例えばＩＺＯを含んでなる光透過性を有するカソード電極である。又、透明電極１１４は、ＩＴＯを含む電極或いは薄膜状の金属電極であってもよい。
【００７６】
絶縁膜１１５は、電流リークを抑えるためのものであり、例えばポリイミドによって、有機ＥＬ発光層１１１が形成される位置以外の基板上に形成されている。陰極隔壁１１６は、陰極形成の際に、任意の形状にパターニングするために、陰極が形成される部分を除いて絶縁膜１１５の上に形成される。透明ガラス封止缶１１７は、上述の構成要素を、外部の影響から保護するためのものである。或いは、透明ガラス封止缶に加えて或いは代えて、透明封止膜を用いてもよい。
【００７７】
以上のような構造を有する表示ユニット１０では、有機ＥＬ発光層１１１の図２中上下双方の側に、いずれも透明なＩＴＯ電極１１３及び透明電極１１４が備えられてなるから、該有機ＥＬ発光層１１１から発せられた光は、図２中上方向にも下方向にも放たれることになる。これにより、第１実施例の表示装置１は、図１に示すように、第１画像表示面１１及び第２画像表示面１２それぞれにおける画像表示を行うことができる。
【００７８】
再び図１において、偏光板２０及び２１は、特定方向に振動する光を透過させる特性を有する、例えばガラス板やフィルムである。特に、第１実施例においては、偏光板２０を透過する光の振動方向と偏光板２１を透過する光の振動方向とは異なる。これにより、後述の如く、背景からの光を適切に透過制御し、且つ表示ユニット１０から発せられる光を適切に観察者に対して別途透過制御することができる。
【００７９】
尚、偏光板２０及び偏光板２１のうち少なくとも一方として、ガラスフィルム等の偏光板を用いてもよいし、又液晶を用いてもよい。液晶を用いた場合には、該液晶に印加する電圧を変化させることで、液晶分子の結晶方向を制御し、特定の方向に振動する光を透過させるように、その偏光角を変化させることができる。従って、液晶を用いても偏光板２０（２１）と同様の動作をすることとなる。そして、これら電圧の変化に係る指示を入力可能な、例えば操作ボタンやリモコン等の入力部を備えていてもよい。
【００８０】
また、印加電圧のピクセルごとの制御で、文字や紋様、マークなどの表示情報を、透過制御板を用いて透かしのように表示することもできる。図１（ｂ）に液晶を使ったときの例を示す。
【００８１】
図１（ｂ）は、一方の偏光板２１を偏光板２１ａとガラスに挟まれた液晶２４からなるユニットで置き換え、電気的に偏向角を変更できるようにしたものである。このとき、偏光板２１ａは、偏光板２０とその偏光角が同一である。画像生成部４１は制御部５０の制御に従い液晶２４に表示される表示情報を生成する。
液晶駆動部３１は、生成された表示情報に基づき、液晶の偏向角をピクセルごとに変更することで、透過部分、あるいは非透過部分を選択し、液晶面上に模様や文字、マークなどを表示させる。一般的に液晶ユニットは二つの偏光板とそれにはさまれた液晶部からなるが、図１（ｂ）に示されるように、本実施例によれば自発光素子（即ち、表示ユニット１０）と液晶２４とを同一偏光方向の偏光板間に入れる。
【００８２】
再び図１（ａ）の説明に戻る。駆動部３０は、表示ユニット１０を表示駆動するためのものであり、後述の画像生成部４０が生成した画像入力信号に基づき、表示ユニット１０に所望の映像或いは画像等を表示させる。制御部１７の制御に基づいて、表示のタイミングや点滅等の装飾的で効果的な駆動を行う機能を持たせても良い。
【００８３】
画像生成部４０は、表示ユニット１０に表示される画像を発生し、記憶している。又、外部から入力される画像、例えばパソコン等で作成された画像を所定の記録エリアに記録しておき、必要に応じて読み出すようにしてもよい。単位としての画像は夫々個別に管理されていて、独立して表示のための処理が可能である。又、例えば画像の表示の位置、大きさ、明るさ、色相、表示形態、画像変形等についても個別に制御可能である。
【００８４】
制御部５０は、表示装置１の全体的な制御を行う。立体的な画像の表示に関しては、表示ユニット１０の表示形態、例えば輝度や大きさ等を設定し、画像生成部４０に対して夫々に表示させる画像信号を発生させる。又、駆動部３０の動作を制御する。
【００８５】
（動作原理）
続いて、図３から図７を参照して、第１実施例に係る表示装置の動作原理について説明する。
【００８６】
先ず図３及び図４を参照して、第１実施例に係る表示装置の基本的な動作原理について説明する。ここに、図３は、偏光板２０（２１）を透過する光の様子を概念的に示す断面図であり、図４は、第１実施例に係る表示装置の表示態様を概念的に示す説明図である。
【００８７】
図３に示すように、第１実施例に係る表示装置１の使用者たる観察者は、表示ユニット１０の第１画像表示面１１に表示されている表示内容を視認することとなる。他方、係る観察者が第２画像表示面１２側にいれば、観察者は、表示ユニット１０の第２画像表示面１２に表示内容を視認することとなる。以降、第１画像表示面１１側にいる観察者を適宜“第１観察者”と称し、第２画像表示面１２側にいる観察者を適宜“第２観察者”と称する。
【００８８】
ここで、表示ユニット１０より発せられる表示光は、偏光板２０又は２１を透過して第１観察者又は第２観察者の位置にまで伝搬する。即ち、第１画像表示面１１側に発せられる表示光は偏光板２０を透過して観察者に視認される。他方、第２画像表示面１２側に発せられる表示光は偏光板２１を透過して観察者に視認される。この場合、いずれの表示光も一つの偏光板２０又は２１を透過するため、その光の偏光角が例えば水平方向又は垂直方向の如く特定の方向に変えられる、または特定の方向の光だけが透過されるに過ぎず、観察者が適切にその表示光により形成される表示内容を認識することができる。
【００８９】
又、背景光は、２つの偏光板２０及び２１の夫々を透過しなければ観察者に視認されることはない。ここで、例えば第２画像表示面１２側より伝搬してくる背景光は、偏光板２１を透過した後、偏光板２０を透過する。このとき、偏光板２０と偏光板２１とは、夫々振動方向が異なる光を透過するように配置されている。このため、偏光板２１を透過した光は、偏光板２０を透過することができない。これは、第１画像表示面１１側より伝搬してくる背景光についても同様であり、該背景光は偏光板２０を透過した後偏光板２１を透過することができない。
【００９０】
従って、第１観察者及び第２観察者の夫々の位置まで、背景光が到達することはなく、第１観察者及び第２観察者は背景を視認することはない。仮に背景が視認可能であるとすると、第１観察者及び第２観察者は、背景と表示内容とを重ねて視認することとなる。このため、仮に表示内容が見やすくシンプルな内容であれば背景と重なっても影響は少ないが、表示内容が複雑で或いは精細な内容であれば背景と重ねて視認することで、観察者がその表示内容を適切に視認することができないおそれがある。更に、背景が煩雑な印象を及ぼすものである場合等は、表示ユニット１０の表示内容を全く視認することができないおそれもありうる。しかるに、第１実施例に係る表示装置１によれば、背景を視認することなく、表示ユニット１０に本来表示されるべき表示内容を適切に視認することができるという大きな利点を有することとなる。即ち、第１観察者は、第１画像表示面１１に表示される表示内容を適切に視認し、第２観察者は、第２画像表示面１２に表示される表示内容を適切に視認することができる。
【００９１】
加えて、偏光板２０（２１）を用いれば上述の利益を享受できるため、表示装置自体の構成を容易なものとすることができる。
【００９２】
また、図１（ｂ）に示すように、偏光板２１ａと液晶２４を組み合わせた表示装置１ａであっても、液晶２４の偏光角を適宜変更することで、上述の如く表示装置１と同様の効果を享受することができる。
【００９３】
このときの第１画像表示面１１及び第２画像表示面の夫々に表示される表示内容（即ち、画像）について図４を参照して説明する。図４（ａ）に示すように、第１観察者は第１画像表示面１１に表示されている画像を視認する。他方、第２観察者は、同一の画像が表示ユニット１０により表示されている場合には、図４（ｂ）に示すように、第２画像表示面１２に表示されている画像を視認する。即ち、第１画像表示面１１及び第２画像表示面１２の夫々に表示される画像は、同一内容でありながらも、その表示態様が反転した状態となっている。このように反転した状態となっていても、第１観察者及び第２観察者の夫々は、表示内容を相応に視認することは可能である。
【００９４】
但し、より好ましくは第１観察者及び第２観察者のうち一方が当該表示装置１を使用する態様が好ましい。係る使用態様として、例えば後述の如く携帯電話等での使用が考えられる。そして、第１観察者及び第２観察者の夫々が同時に、係る表示内容を視認する場合であっても、夫々の観察者は共に、背景を視認することなく、表示ユニット１０が本来表示する表示内容を適切に視認することが可能となる。
【００９５】
（変形例）
続いて、図５から図７を参照して上述した第１実施例に係る表示装置の変形例について説明する。ここに、図５は、シャッタを透過する光の様子を概念的に示す断面図であり、図６は、シャッタのより詳細な構成を概念的に示す断面図であり、図７は、第１実施例に係る表示装置の表示態様を概念的に示す説明図である。尚、第１実施例に係る変形例は、上述の表示装置１が備える偏光板２０（２１）に代えて、シャッタ２２（２３）を用いる構成を採用している。
【００９６】
図５（ａ）に示すように、変形例に係る表示装置２は、第１実施例に係る表示装置１と同様の構成を採っている。表示装置２は特に、背景光を遮断するためにシャッタ２２（２３）を採用している。
【００９７】
シャッタ２２（２３）は、光を遮断する状態及び透過する状態を相互に切り替えることが可能に構成されている。該シャッタ２２（２３）として、例えば電子粉流体や液晶等を含んでなる電気的なシャッタを用いてもよいし、モータや該モータにより稼動する遮光シャッタ等を含む機械的シャッタを用いてもよい。
【００９８】
電子粉流体や液晶は、電圧を印加することでその結晶方向を変化させたりすることで、光を遮断する状態と光を透過する状態とを相互に切り替えることができる。なお、シャッタ２２及び２３として液晶を用いた場合のより具体的な例を図５（ｂ）および図５（ｃ）に示す。
【００９９】
図５（ｂ）に示すように、表示装置２ａは、同一の偏光方向を有する偏光板２０の間に液晶２４を配置しそれらを自発光素子の表示ユニット１０の両側に配置したものである。すべて同一偏光方向にあるので液晶２４で偏光方向を変化させない場合は背景光が透過する。一つの液晶２４の偏光方向を変えることで、その部分がシャッタの役割を果たす。
【０１００】
図５（ｃ）に示すように、表示装置２ｂは図１（ａ）における画像生成部４１分と液晶駆動部３１とを簡素化し他構成となっており、該液晶２４の部分がシャッタとしての役割を果たすものである。
【０１０１】
再び図５（ａ）において、この図５（ａ）では特に、シャッタ２２が光を透過し、シャッタ２３が光を遮断する状態にある表示装置２を示している。この場合、表示ユニット１０より第１画像表示面１１側に向けて発せられる表示光は、シャッタ２２を透過して第１観察者に視認されることとなる。一方、表示ユニット１０より第２画像表示面１２側に向けて発せられる表示光は、シャッタ２３により遮断されるため第２観察者には視認されない。
【０１０２】
他方、背景光については、第１観察者に視認されうる第２画像表示面１２側から伝搬する背景光は、シャッタ２３により遮断されるため、第１観察者の位置にまで到達することはない。従って、図４に係る表示装置２によれば、第１観察者は背景を視認することなく、表示ユニット１０に表示されている表示内容を適切に視認することが可能となる。これは、図５（ｂ）及び図５（ｃ）に示す表示装置２ａ及び２ｂにおいても同様のことがいえる。
【０１０３】
さらに、シャッタ２２（２３）として、機械的なシャッタを用いた場合の、当該シャッタ２２（２３）のより詳細な構成について説明する。図６（ａ）及び図６（ｂ）に示すように、シャッタ２２（２３）は、その角度を調整可能なシャッタ窓２４を複数備えている。該シャッタ窓２４は、例えばモータ等の動力源に連結され、その角度を調整可能に構成されていてもよい。
【０１０４】
図６（ａ）は、光を透過可能な状態にあるシャッタ２２（２３）を示している。このとき、複数のシャッタ窓２４の夫々は、光（例えば、表示光や背景光等）の進行方向に対して平行に並べられている。このとき、当該シャッタ２２（２３）を透過する光は、シャッタ窓２４にその光路を遮られることはないため、当該シャッタ２２（２３）は光を透過可能な状態にある。
【０１０５】
他方、図６（ｂ）は、光を遮断可能な状態にあるシャッタ２２（２３）を示している。このとき、複数のシャッタ窓２４の夫々は、光の進行方向に対して垂直に並べられている。このとき、当該シャッタ２２（２３）を透過する光は、シャッタ窓２４によりその光路が遮られることとなる。従って、当該シャッタ２２（２３）は光を遮断可能な状態にある。
【０１０６】
尚、シャッタ２２（２３）の光を遮断する状態及び光を透過する状態を相互に切り替えることが可能な、本発明の「切替制御手段」の一具体例たるシャッタ切替部２５（図５参照）を備えていてもよい。例えばシャッタ２２（２３）が機械的シャッタである場合には、例えばモータを駆動させ、透過制御シャッタの角度を変えることで相互に切り替えてもよい。又、シャッタ２２（２３）が電気的シャッタである場合には、例えば電子粉流体や液晶等に印加する電圧（或いは、注入する電流）を制御することで相互に切り替えてもよい。そして、これらの切替は、例えばリモコンや操作ボタン等によりなされる観察者の指示により行われてもよいし、或いは制御部５０の制御により自動的に行われるようにしてもよい。
更に、制御部５０による切替の場合には、観察者の位置等或いはその表示内容等に応じて切り替えるように構成してもよい。
【０１０７】
このときの第１画像表示面１１及び第２画像表示面１２の夫々に表示される表示内容（即ち、画像）について図７を参照して説明する。図７（ａ）に示すように、第１観察者は第１画像表示面１１に表示されている画像を視認する。他方、第２画像表示面１２に表示される画像は、シャッタ２３により第２観察者に視認されることはない。従って、第２画像表示面１２は、図７（ｂ）に示すように、表示ユニット１０により表示される画像は表示されないこととなる。
【０１０８】
（具体例）
続いて、第１実施例に係る表示装置１及びその変形例である表示装置２を具体的な製品（ここでは、例えば携帯電話）に使用した具体例について、図８及び図９を参照して説明する。ここに、図８は表示装置１を備える携帯電話について説明する模式図であり、図９は、表示装置２を備える携帯電話について説明する模式図である。
【０１０９】
図８（ａ）に示すように、第１実施例に係る表示装置１を備える携帯電話２０１は、通常の通話時やボタン操作時においては、第１画像表示面１１たるメインディスプレイに表示内容が適切に表示されている。このとき、第２画像表示面１２たるサブディスプレイ（即ち、背面ディスプレイ）には、図８（ｂ）に示すように、第１画像表示面１１に表示されている画像が反転した画像が表示されている。しかも、背景はそれぞれ透過制御することができ、背景を透過させたり、ほとんど透過させなくすることができる。
【０１１０】
また、例えば液晶２４を具備する表示装置であれば、該液晶２４の偏光角（即ち、液晶の配向の方向）をピクセル毎に変化させることで、図８（ｃ）に示すように、表示ユニット１０による表示内容に加えて、液晶２４による表示内容（即ち、ハートマーク）を表示させることが可能となる。他にも、文字や模様、マーク等の多種多様な表示をすることが可能である。加えて、第１画像表示面１１及び第２画像表示面１２の一部を光が透過する状態とし、他の一部を光が遮断される状態とすることもできる。
【０１１１】
同様に、図９（ａ）に示すように、第１実施例の変形例に係る表示装置２を備える携帯電話２０２は、通常の通話時やボタン操作時においては、第１画像表示面１１に適切な画像が適切に表示される。このとき、シャッタ２２は光を透過する状態にあり、シャッタ２３は光を遮断する状態にある。従って、第２画像表示面１２には、図９（ｂ）に示すように、画像は表示されないこととなる。
【０１１２】
以上説明したように、第１実施例に係る表示装置によれば、偏光板等により例えば背景からの光等を透過制御することで、観察者をして背景を視認させることなく、表示ユニットに表示される表示内容を適切に視認させることが可能となる。従って、単一のディスプレイを用いながらも視認性に優れた表示装置を実現することが可能となる。加えて、偏光板やシャッタ等を用いることで第１実施例に係る表示装置を実現できるため、当該表示装置自体の構成が簡略化され、量産しやすく且つ低コストで生産することが可能となる。
【０１１３】
（第２実施例）
続いて、図１０から図１４を参照して、本発明の表示装置に係る第２実施例について説明する。第２実施例に係る表示装置は、上述した第１画像表示面１１及び第２画像表示面１２の夫々に表示される画像を適宜切り替えることが可能な表示装置である。尚、上述した第１実施例に係る表示装置１と同様の構成要素には、同一の参照符号を付することとし、その詳細な説明を省略する。
【０１１４】
（基本構成）
先ず、図１０を参照して、第２実施例に係る表示装置の基本構成について説明する。ここに、図１０は、第２実施例に係る表示装置の基本構成を概念的に示すブロック図である。
【０１１５】
図１０に示すように、第２実施例に係る表示装置３は、第１実施例に係る表示装置１と同様に、表示ユニット１０、偏光板２０及び２１、駆動部３０、画像生成部４０、並びに制御部５０を備えている。
【０１１６】
表示装置３は特に、本発明の「表示切替手段」の一具体例たる画像切替部６０を備えている。画像切替部６０は、第１画像表示面１１及び第２画像表示面１２の夫々に表示させる画像を適宜、反転させたりして切り替えることが可能である。
【０１１７】
係る画像切替部６０に画像切替の指示を出す画像切替スイッチ６１を備えるように構成してもよい。この画像切替スイッチ６１を押下すると、後述するように第１画像表示面１１において表示されていた画像を左右に反転した画像が、第２画像表示面１２に表示されることになる。より詳細には、このような画像切替、或いはより一般に当該表示ユニット１０における画像表示は、図１１に示すような回路系を備えることにより実現されるように構成してもよい。
【０１１８】
図１１において、表示ユニット１０は、走査線１６及び画像信号線１５を備えている。前記において、図２を参照して説明した有機ＥＬ発光層１１１の各々は、図１１に示すように格子状に配列された走査線１６及び画像信号線１５の各交差点Ｘ（即ち、交点１７）に対応するように配置されている（なお、図１１においては、複雑化を避けるため、画像表示面内の走査線１６及び画像信号線１５については、これを適当に間引いて図示した。）。また、図２におけるＩＴＯ電極１１３は、走査線１６に電気的に接続されており、透明電極１１４は、画像信号線１５に電気的に接続されている。これにより、走査線１６及び画像信号線１５それぞれに所定の信号を送れば、各交差点Ｘに対応して配置された、ＩＴＯ電極１１３及び透明電極１１４間に所定の電位差を生じさせることが可能となるから、当該交差点Ｘごとに、有機ＥＬ発光層１１１に異なる電圧を印加することが可能となり、もって画素毎に発光の程度を異ならせることが可能となる。
【０１１９】
一方、前記のうち走査線１６は走査線駆動回路１４に、画像信号線１５は画像信号線駆動回路１３にそれぞれ接続されている。画像信号駆動回路１３は、画像切替部６０に接続され、該画像切替部６０は、画像切替スイッチ６１に接続されている。
【０１２０】
これにより、まず、表示ユニット１０における画像表示は、以下のようにして実現される。第一に、ある一本の走査線１６に対応する所定の画像を表示するための画像信号が、画像信号生成回路２によって生成される。これは、画像信号線１５の一本一本に対応するように生成されることになる。例えば、当該画像信号が“１”又は“０”でのみ表されるというように極めて簡単な例を想定すれば、図１１における画像切替部６０内においては、図示するように“１０１０１１…”などといった画像信号が生成されることになる。この数列の各桁が画像信号線１５の一本一本に対応している。そして第二に、この画像信号が、画像信号線駆動回路１３を介して各画像信号線１５に送り込まれるとともに、ある一本の走査線１６に所定の走査信号を送り込むことによって、各画像信号線１５及び当該一本の走査線１６によって規定される交差点Ｘに対応した有機ＥＬ発光層１１１に所定の電界が印加されることになる。第三に、かかる処理を、全走査線１６について実施すれば、一枚の画像が表示されることになる。
【０１２１】
また、画像切替スイッチ６１は、次のように作用する。すなわち、画像切替部６０では、上述したような画像信号が適宜生成されるが、画像切替スイッチ６１の押下は、この画像信号を反転させる契機となるのである。具体的には例えば、画像切替部６０において、元の画像信号が前述したように“１０１０１１…”などというように生成されているとすると、画像切替スイッチ６１の押下によって、当該画像信号は、“…１１０１０１”などというように反転されることになるのである。これにより、第１画像表示面１１又は第２画像表示面１２における画像は、反転されることになる。
【０１２２】
尚、このように画像信号を反転させる場合には、画像切替部６０は本発明における「画像データ反転手段」の一具体例として動作していることとなる。
【０１２３】
（動作原理）
続いて、図１２及び図１３を参照して、第２実施例に係る表示装置３の動作原理について説明する。ここに、図１２は、第２実施例に係る表示装置の表示態様を概念的に示す模式図であり、図１３は、第２実施例に係る表示装置の画像切替の態様を概念的に示す模式図である。尚、ここでは、第２実施例に係る表示装置３を備えた携帯電話を具体的な例として説明を進める。
【０１２４】
図１２（ａ）に示すように、第２実施例に係る表示装置３を備えた携帯電話２０３は、主としてディスプレイ部分（即ち、表示装置３）及びスピーカー部分を備える第１筐体２１１、並びに主として操作ボタン部分及びマイク部分を備える第２筐体２１２を備えている。これら第１筐体２１１及び第２筐体２１２は、ヒンジを介して、図中矢印に示すように回動自在（即ち、開閉自在）に連結されている。これにより、第１筐体２１１を中心としてみれば、第２筐体２１２は、該第１筐体２１１に対して、上述の実施形態における「閉じた状態」の一例である折り畳まれた状態（図１２（ｃ）参照）又は開いた状態（図１２（ａ）又は図１２（ｂ）参照）をとりうるようになっている。
【０１２５】
そして表示装置３は、第１筐体２１１にいわば嵌め込まれるようにして配置されており、その一面が第１画像表示面１１、その裏面が第２画像表示面１２とされていて、いずれにおいても画像表示が可能となっている。また、当該携帯電話２０３のユーザ（即ち、観察者）は、これら第１画像表示面１１及び第２画像表示面１２のいずれをも視認可能である。
【０１２６】
図１２（ａ）は、第１筐体と第２筐体とが開いた状態を示しており、この場合、第１画像表示面１１に適切な画像が表示されることとなる。即ち、観察者は、携帯電話２０３が開いた状態にあるときは、主として第１画像表示面を見るからである。
【０１２７】
このとき、図１２（ｂ）に示すように、第２画像表示面１２には、第１画像表示面１１に表示されている画像が反転した（或いは、裏返った）状態で表示されている。
【０１２８】
ここで第２実施例においては、かかる場合に、観察者が、画像切替スイッチ６１（但し、図１２中においては図示せず）を押下することによって、第２画像表示面１２に適切な画像が表示されるようにその表示を切り替えることができる。
この際、画像切替スイッチ６１の押下によれば、前述したように、画像切替部６０における画像信号の、画像信号線１３に対応した配列が反転される。これにより、第２画像表示面１２には、第１画像表示面１１に表示されるような適切な画像（即ち、図１２（ａ）に示す画像）が表示されることとなる。
【０１２９】
このように、第２実施例に係る表示装置３によれば、該表示装置３を挟んで対向する２人の観察者（即ち、第１観察者及び第２観察者）の双方に、意味のある画像を表示することが可能である。また、昨今の携帯電話においては、いわゆる「カメラ付き携帯」と呼ばれるものも市場に登場している。この場合、前記の表示装置３は、当該カメラ用のファインダとして利用し得る。そして、表示装置３をファインダとして用いる場合には、通常撮影を行う場合（ユーザに対向的に位置する被写体を撮影する場合）と自らを撮影対象とする場合（ユーザ自らを被写体とする場合）とで、画像の切り替えを行い得るようになっていることが便利である。このとき、前記のような画像切替スイッチが設けられていれば、ユーザの手動により、画像切替を行うことができるから、ファインダとしての機能を十二分に享受することができる。
【０１３０】
なお、上記第１実施例においては、画像を反転させるために、画像切替部６０において生成された画像信号の配列を、反転させることによっていたが、本実施例は、これ以外の方法も利用することができる。例えば、図１１に示した画像信号線駆動回路１３には、各画像信号線１５に画像信号を送り出すタイミングを司るためのサンプリングスイッチ（不図示）が、これら各画像信号線１５に対応するように設けられているが、画像を反転させるためには、これらサンプリングスイッチのＯＮ・ＯＦＦの順番を変えることを利用することもできる。また、上記第１実施例では、走査線１６を駆動するための走査線駆動回路１４は、図中片側にのみ設けられているが、これを両側に設けるようにしてもよい。
【０１３１】
更に、画像切替スイッチ６１の押下による画像の切替に代えて、例えば第１筐体２１１と第２筐体２１２との状態に応じて、第１画像表示面１１と第２画像表示面１２とのいずれに適切な画像を表示するかを適宜、例えば自動的に切り替えてもよい。例えば、図１２（ｃ）に示すように、閉じた状態にある場合には、第２画像表示面１２に適切な画像を表示させるように切り替えてもよい。これにより、携帯電話２０３のユーザに余計な操作を要求することなく、また、そうであっても、該ユーザに適切な情報を伝達することができるのである。
【０１３２】
このとき、図示はされないが、携帯電話２０３では、第１筐体２１１及び第２筐体２１２が相互に開いた状態にあるとき及び折り畳まれた状態にあるときの相違に応じて、第１画像表示面１１上の画像及び第２画像表示面１２上の画像を相互に左右で反転させる画像反転手段が設けられている。この画像反転手段は、図１０における画像切替スイッチ６１に相当するが、ここで特徴があるのは、画像切替スイッチ６１のようにユーザによる直接的なボタン操作を必要とするのではなく、第１筐体２１１及び第２筐体２１２が、開いた状態にあるか、或いは折り畳まれた状態にあるかを自動的に検知することによって、画像の反転を行うところにある。
【０１３３】
尚、携帯電話２０３が「開いた状態」及び「閉じた状態」のいずれの状態にあるかを判断するために、第１筐体２１１と第２筐体２１２との距離を検出し、該距離の相違に基づいて画像切替部６０による切替を行ってもよい。このとき、図１３に示すように、第１筐体２１１及び第２筐体２１２の夫々は、互いの間の距離を測定可能な距離センサ６２を備えていることが好ましい。
【０１３４】
図１３（ａ）に示すように、第１筐体２１１のスピーカー部分付近に距離センサ６２の一方が備えられ、又第２筐体２１２のマイク部分付近に距離センサ６２の他方が備え付けられている。尚、センサ６２が備え付けられる位置はこれに限らず、第１筐体２１１及び第２筐体２１２の間の距離が適切に測定できる位置であればよい。
【０１３５】
図１３（ａ）に示す場合においては、第１筐体２１１と第２筐体２１２とはその距離が適度に離れているため、例えば制御部５０は“当該携帯電話２０３は「開いた状態」にある”と判断する。このとき、距離センサ６２の検出した第１筐体２１１と第２筐体２１２との間の距離を制御部５０に出力するように構成してもよい。
【０１３６】
このとき、図１３（ａ）に示すように、第１画像表示面１１に適切な画像が表示されている。そして、第２画像表示面１２には、当該適切な画像が反転した状態にある画像が表示されていることとなる。この場合であっても、携帯電話２０３が「開いた状態」にあれば、ユーザは通常ボタン操作を行ったり、或いは第１画像表示面１１を見て各種操作を行っているのが常であるため問題はない。
【０１３７】
その後、図１３（ｂ）に示すように、ヒンジの動作により第１筐体２１１と第２筐体２１２とが近づいたとする。このときも、例えば制御部５０は、第１筐体２１１と第２筐体２１２とは適度に離れているため、「開いた状態」にあると判断する。
【０１３８】
その後、図１３（ｃ）に示すように、更に第１筐体２１１と第２筐体２１２とが近づいたとする。このとき、第１筐体２１１と第２筐体２１２とは完全に「閉じた状態」にあるものではない。しかしながら、図１３（ｃ）に示す状態では、ほぼ閉じた状態にあると見ることができ、又第１画像表示面１１に表示される画像は、第２筐体２１２により観察者にとって適切に視認できるとはいい難い。従って、係る段階まで第１筐体２１１と第２筐体２１２とが近づいた時には、制御部５０は、「閉じた状態」にあると判断することが好ましい。
【０１３９】
従って、図１３（ｃ）に示す段階においては、画像切替部６０による切替動作がなされ、第１画像表示面１１には、適切な画像が反転した状態で表示されていることとなる。他方、図１３（ｄ）に示すように、第２画像表示面１２には、適切な画像が表示されていることとなる。
【０１４０】
尚、このように第１筐体２１１と第２筐体２１２とが閉じた状態にあると判断する距離は、予め一義的に定めておいてもよいし、或いはその都度所定の値を設定するように構成してもよい。いずれにせよ、観察者にとって見やすい表示面が第１画像表示面１１であるか又は第２画像表示面１２であるかに応じて、或いは観察者が第１画像表示面１１に対向しているか又は第２画像表示面１２に対向しているかに応じて、「開いた状態」にあると判断する距離或いは「閉じた状態」にあると判断する距離を定めることが好ましい。
【０１４１】
（変形例）
また、携帯電話の具体的形態としては、図１２に示したようなタイプのものだけではなく、図１４及び図１５に示すような種々のタイプの変形例が提案されている。ここに、図１４及び図１５は、第２実施例に係る表示装置３を備える携帯電話の変形例を概念的に示す模式図である。
【０１４２】
図１４の携帯電話２０４は、ヒンジをもたず、第１筐体２１１が、第２筐体２１２に対して開閉自在にスライドする方式となっている（図１４（ａ）から同図（ｂ）を経て同図（ｃ）又はその逆）。このような方式では、例えば図１４（ｃ）及びその上下を反転させて図示した図１４（ｄ）間での画像切替時に、第２実施例に係る表示装置３の特性が活かされ得る。また、図示されないが、図１４（ａ）の背面には、図１２（ｂ）と同様、判読に困難な画像が表示されていることになるが、場合により、当該背面を前面として正規画像を表示させるようにしてもよい。
【０１４３】
そして、図１４に示す携帯電話２０４では、第１筐体２１１及び第２筐体２１２のスライド構造を可能とするべく、連結部２３１と該連結部をガイドするスライド溝２３２を備えている。そして、連結部２３１の位置に応じて、第１筐体２１１と第２筐体との開閉状態を判定するように構成してもよい。
【０１４４】
或いは更に、図１５の携帯電話２０５は、ヒンジの構成に特徴があり、第１筐体２１１及び第２筐体２１２が、相対的に、当該ヒンジを中心として、あたかもジャックナイフの如く回転する方式となっている（図１５（ａ）から同図（ｂ）を経て同図（ｃ）又はその逆）。このような方式では、例えば図１５（ｃ）から図１４（ｄ）へ又はその逆への画像切替時、第２実施例に係る表示装置３の特性が活かされ得る。また、図示されないが、図１５（ａ）の背面には、図１２（ｂ）と同様、判読に困難な画像が表示されていることになるが、場合により、当該背面を前面として適切な画像を表示させるようにしてもよい。
【０１４５】
なお、図１４（ｃ）及び（ｄ）に示す状態は、なお上述の実施形態における「閉じた状態」に該当するといい得る。同様に、図１５（ｃ）及び（ｄ）に示す状態もまた、上述の実施形態における「開いた状態」に該当するといい得る。
【０１４６】
そして、図１４及び図１５に示す携帯電話においても、第２実施例に係る携帯電話２０３と同様に、第１筐体２１１と第２筐体２１２との間の距離に基づいて「閉じた状態」及び「開いた状態」を判断することが好ましい。
【０１４７】
このように、各種の方式を採用しうる携帯電話２０４及び２０５があり得るが、本実施例に係る表示装置は、基本的に、どのような方式となる携帯電話においても適用することが可能である。
【０１４８】
以上の結果、第２実施例に係る表示装置によれば、該表示装置を挟んで対向する２人の観察者（即ち、第１観察者及び第２観察者）の双方に、意味のある画像を表示することが可能である。或いは、当該表示装置を使用するユーザの使用態様に応じて、最適な或いはより好ましい画像表示面に適切な画像を表示することが可能となる。
【０１４９】
尚、画像反転を実行する方法としては、上述の図１１を参照して説明したような方法に限られない。即ち、先に述べた画像反転の契機とも関連して、画像の反転が、例えばパソコン等に搭載される画像描画ソフト等のソフトウェア上で（いわば、よりユーザに近い側で）行われるようになっていてもよい。このようなソフトウェアを用いる画像反転方法を採用すれば、極めて柔軟性に富んだ画像の反転を行うことができる。例えば、キーボードやマウス等の外部操作に伴って適切な画像と該適切な画像を反転した画像が同時に画面上に展開されていくなどということも可能であるし、画像の一部のみを反転させる等ということも、プログラミング次第、或いはソフトウェア上におけるユーザによる任意の設定次第で簡単に実現することができる。
【０１５０】
なお、上述の実施例では、第１及び第２実施例に係る表示装置を、携帯電話に適用した例について説明したが、第１及び第２実施例に係る表示装置は、その他各種の電子機器に適用可能であることは言うまでもない。
【０１５１】
例えば図１６に示すように、ＣＣＤ（Ｃｈａｒｇｅ−Ｃｏｕｐｌｅｄ  Ｄｅｖｉｃｅ）カメラ等を備えた撮像装置（以下、「ビデオカメラ」という。）に適用することもできる。ビデオカメラ２０６は、現状、そのファインダとして表示装置が使用されており、且つ、該ファインダないし該表示装置は、当該持ち運び可能なビデオカメラ２０６本体に一種特殊な機械的構成によって回動可能に連結されているものが知られている。これは、例えば、撮影対象である相手方にどのような録画が行われることとなるかを確認させるためなどに利用されている。しかるに、第１及び第２実施例に係る表示装置を前記ファインダに適用すれば、当該表示装置は、いずれも画像表示可能な、或いは視認可能な第１画像表示面１１及び第２画像表示面１２を有しているから、前記特殊な機械的構成を備えることなく、前述したような作用効果を発揮させることができる。尚、図１６中においては、第２画像表示面１２のみが図示されているが、当該第２画像表示面１２の裏側には、第１画像表示面１１がある。
【０１５２】
また、この場合、当該持ち運び可能なビデオカメラ２０６に、第１実施例で説明した画像切替スイッチ６１を備えれば、ユーザが該画像切替スイッチ６１を操作することによって、通常撮影を行う場合と自らを撮影対象とする場合とで、画像の切り替えを行うことなども可能になる。或いは、ファインダとビデオカメラ２０６本体との位置関係（例えば、距離等）に応じて自動的に切り替えるように構成してもよい。この場合、第１筐体２２１をファインダとし、第２筐体２２２をビデオカメラ本体としてもよい。
【０１５３】
その他、例えば、電子手帳、時計や、ノート型ではないパーソナルコンピュータなどに加えて、コピー装置及びファクシミリ装置等の画像形成装置、現金自動預け払い機（ＡＴＭ；Ａｕｔｏｍａｔｅｄ−Ｔｅｌｌｅｒ  Ｍａｃｈｉｎｅ）、更には信号機等々、或いは電子ペーパーや街角の広告用ディスプレイ等にも適用可能である。
【０１５４】
（第３実施例）
続いて、図１７及び図１８を参照して、本発明の表示装置に係る第３実施例について説明する。第３実施例に係る表示装置は、背景光の強度に応じて、光透過手段たる液晶の光透過度を変化させることが可能な表示装置である。尚、上述した第１及び第２実施例に係る表示装置１（２）と同様の構成要素には、同一の参照符号を付することとし、その詳細な説明を省略する。
【０１５５】
（基本構成）
先ず、図１７を参照して、第３実施例に係る表示装置の基本構成について説明する。ここに、図１７は、第３実施例に係る表示装置の基本構成を概念的に示すブロック図である。
【０１５６】
図１７に示すように、第３実施例に係る表示装置４は、表示ユニット１０、偏光板２０、液晶２４、駆動部３０、画像生成部４０、制御部５０、光透過度制御部５１及び光センサ５２を備えている。
【０１５７】
光透過度制御部５１は、光センサ５２が検出した背景光の強度に応じて、液晶２４の偏光角（即ち、配向の方向）を変化させ、液晶２４（及び該液晶２４を挟み込む形で配置される偏光板２０）を透過する光の量を調整する。
【０１５８】
光センサ５２は、背景光の強度を検出可能に構成されている。即ち、第１画像表示面１１側に配置される光センサ５２は、第１画像表示面１１側より第２画像表示面１２側へ伝搬する背景光の強度を検出し、第２画像表示面１２側に配置される光センサ５２は、第２画像表示面１２側より第１画像表示面１１側へ伝搬する背景光の強度を検出可能に構成されている。
【０１５９】
（動作原理）
続いて、図１８を参照して、第３実施例に係る表示装置３の動作原理について説明する。ここに、図１８は、第３実施例に係る表示装置の背景光の透過の態様を概念的に示す断面図である。
【０１６０】
図１８（ａ）に示すように、第２画像表示面１２側より伝搬する背景光が表示光と比較して強い場合、光センサ５２は、その光強度を検出し、光透過度制御部５１へ出力する。光透過度制御部５１は、第２画像表示面１２側より伝搬する背景光を透過させないように、第２画像表示面１２側に配置されている液晶２４の偏光角を変化させ、背景光の透過量を減少させる。もちろん、背景光を遮断する（即ち、透過量を０にする）ように液晶２４の偏光角を変化させてもよい。このとき、光透過度制御部５１は、背景光の強度との比較のために、表示光の光強度を検出可能に構成されていてもよい。
【０１６１】
これにより、背景光の強度によらず背景光を適切に透過制御（例えば、遮断）できるため、観察者をして背景光を視認させることなく、表示ユニット１０の表示内容をより適切に視認させることが可能となる。
【０１６２】
他方、図１８（ｂ）に示すように、第２画像表示面１２側より伝搬する背景光が表示光と比較して相対的に弱い場合、光センサ５２は同様に、光強度を検出し、光透過度制御部５１へ出力する。光透過度制御部５１は、図１８（ａ）と比較して、背景光の透過量（透過度）をそれ程減少させなくともよいと判断し、液晶２４の偏光角を変化させる。そして、図１８（ａ）と同程度の強度を有する程度に背景光を透過するようにしてもよい。もちろん、図１８（ｂ）に示す場合においても、背景光を遮断するように液晶２４の偏光角を変化させてもよい。従って、観察者は、背景光の強度の変化によらず、一定の品質（例えば、光量や輝度等）を有する表示内容を視認することができる。即ち、背景光の変化に起因したちらつき等の影響を排除し、より適切な表示内容を視認することができる。
【０１６３】
或いは、背景光が観察者に視認できない程度に弱ければ、液晶２４の偏光角を変化させなくともよい。これにより、液晶２４への電圧印加を減少させ、表示装置３全体としての電力消費量を抑えることができるという利点を有する。
【０１６４】
尚、これらの動作は、第１画像表示面１１側より伝搬する背景光についても同様のことが行われる。
【０１６５】
本発明は、上述した実施形態或いは実施例に限られるものではなく、請求の範囲及び明細書全体から読み取れる発明の要旨、あるいは思想に反しない範囲で適宜変更可能であり、そのような変更を伴う表示装置及び電子機器もまた、本発明の技術的範囲に含まれるものである。
【図面の簡単な説明】
【図１】本発明の表示装置に係る第１実施例の基本構成を概念的に示すブロック図である。
【図２】第１実施例に係る表示装置の表示ユニットの詳細な構成を概念的に示す断面図である。
【図３】第１実施例に係る表示装置において、偏光板を透過する光の様子を概念的に示す断面図である。
【図４】第１実施例に係る表示装置の表示態様を概念的に示す模式図である。
【図５】第１実施例に係る表示装置の変形例において、シャッタを透過する光の様子を概念的に示す断面図である。
【図６】第１実施例に係る表示装置の変形例におけるシャッタの詳細な構成を概念的に示す断面図である。
【図７】第１実施例に係る表示装置の変形例の表示態様を概念的に示す模式図である。
【図８】第１実施例に係る表示装置を備える携帯電話を示す模式図である。
【図９】第１実施例に係る表示装置の変形例を備える携帯電話を示す模式図である。
【図１０】本発明の表示装置に係る第２実施例の基本構成を概念的に示すブロック図である。
【図１１】第２実施例に係る表示装置において、画像切替に係る動作を実現する各種構成を概念的に示す模式図である。
【図１２】第２実施例に係る表示装置の表示態様を概念的に示す模式図である。
【図１３】第２実施例に係る表示装置の画像切替の態様を概念的に示す模式図である。
【図１４】第２実施例に係る表示装置の一の変形例を概念的に示す模式図である。
【図１５】第２実施例に係る表示装置の他の変形例を概念的に示す模式図である。
【図１６】第２実施例に係る表示装置を備えるビデオカメラを概念的に示す模式図である。
【図１７】本発明の表示装置に係る第３実施例の基本構成を概念的に示すブロック図である。
【図１８】第３実施例に係る表示装置の背景光の透過の態様を概念的に示す断面図である。
【符号の説明】
１、２、３…表示装置
１０…表示ユニット
１１…第１画像表示面
１２…第２画像表示面
１５…画像信号線
１６…走査線
２０、２１、２１ａ…偏光板
２２、２３…シャッタ
２４…液晶
２５…シャッタ切替部
５１…光透過度制御部
５２…光センサ
６０…画像切替部
６１…画像切替スイッチ
６２…距離センサ
１１１…有機ＥＬ発光層
１１２…基板
２０１、２０２、２０３、２０４、２０５…携帯電話
２０６…ビデオカメラ
２１１、２２１…第１筐体
２１２、２２２…第２筐体
【図１】
2005070074.tif 000003
【図２】
2005070074.tif 000004
【図３】
2005070074.tif 000005
【図４】
2005070074.tif 000006
【図５】
2005070074.tif 000007
【図６】
2005070074.tif 000008
【図７】
2005070074.tif 000009
【図８】
2005070074.tif 000010
【図９】
2005070074.tif 000011
【図１０】
2005070074.tif 000012
【図１１】
2005070074.tif 000013
【図１２】
2005070074.tif 000014
【図１３】
2005070074.tif 000015
【図１４】
2005070074.tif 000016
【図１５】
2005070074.tif 000017
【図１６】
2005070074.tif 000018
【図１７】
2005070074.tif 000019
【図１８】
2005070074.tif 000020